(57)【要約】本発明は、フレーム架構またはフレーム状の折曲部を備えたキャビネット（２０）に組み込んで、温度監視および温度調整を含む、キャビネット（２０）自体に関する機能を監視しかつ制御するためのキャビネット監視装置であって、ケーシング上部（１．１）とケーシング下部（１．２）とを備えたケーシングに配置された監視ユニットと、該監視ユニットに接続されたセンサ（３．１，３．２，３．３，３．４，４，５．１，５．２，６）とを備えている形式のものに関する。キャビネット監視装置を備えたキャビネットの有利な構成によれば、ケーシングが、フレーム架構またはフレーム状の折曲部に結合するための、取付手段収容部を縁部領域に備えた天井ユニット（１）として形成されており、少なくともセンサ（３．１，３．２，３．３，３．４，４，５．１，５．２，６）の一部が、ケーシング下部（１．２）の、キャビネット内側に向いた下面に配置されている。
2004527834.tif 000002
【特許請求の範囲】
【請求項１】
フレーム架構またはフレーム状の折曲部を備えたキャビネット（２０）に組み込んで、温度監視および温度調整を含む、キャビネット（２０）自体に関する機能を監視しかつ制御するためのキャビネット監視装置であって、該キャビネット監視装置が、ケーシング上部（１．１）とケーシング下部（１．２）とを備えたケーシングに配置された監視ユニットと、該監視ユニットに接続されたセンサ（３．１，３．２，３．３，３．４，４，５．１，５．２，６）とを備えている形式のものにおいて、
前記ケーシングが、前記フレーム架構またはフレーム状の折曲部に結合するための、取付手段収容部を縁部領域に備えた天井ユニット（１）として形成されており、少なくとも前記センサ（３．１，３．２，３．３，３．４，４，５．１，５．２，６）の一部が、ケーシング下部（１．２）の、キャビネット内側に向いた下面に配置されていることを特徴とする、キャビネット監視装置。
【請求項２】
ケーシング下部（１．２）の少なくとも１つの開口に、少なくとも１つのファン（７．１，７．２）が組み込まれており、該ファンの傍に煙センサ（６）が組み込まれている、請求項１記載のキャビネット監視装置。
【請求項３】
天井ユニット（１）の下面の少なくとも正面側の縁部領域にアクセスセンサ（３．３）が配置されており、該アクセスセンサ（３．３）が、組込状態で、正面ドア（２．１）または背面ドアまたは背壁または側壁の、補足的なエレメントを備えるかまたは該エレメント自体を成す、前記アクセスセンサに向いた上位の縁部区分と作用接続するようになっている、請求項１または２記載のキャビネット監視装置。
【請求項４】
天井ユニット（１）の下面の、背面側および／または側方の縁部領域および／または正面と側面との角隅領域および／または背面と側面との角隅領域における、組込状態でキャビネット内側からアクセス可能な領域に、正面ドア（２１）および／または背面ドアのロック制御ユニット（５．１，５．２）のための端子ジャック、および／または追加ユニット（２）のための端子ジャック（２．１，２．２，２．３，２．４）、および／または電圧供給のための端子ジャック（９，１２）が組み込まれている、請求項１から３までのいずれか１項記載のキャビネット監視装置。
【請求項５】
追加ユニット（２）および電圧供給のための端子ジャック（２．１，２．２，２．３，２．４，１２）が、背面側の縁部領域に配置されており、背面ドアのロック制御ユニット（５．２）のための端子ジャックが、閉鎖側の背面と側面との間の角隅領域に配置されており、かつ／または正面ドアのロック制御ユニット（５．１）のための端子ジャックが、閉鎖側の正面と側面との間の角隅領域に配置されている、請求項４記載のキャビネット監視装置。
【請求項６】
天井ユニット（１）の下面に配置されたセンサ（３．１，３．２，３．３，３．４，４，６）が、天井ユニット（１）の内側で、監視ユニットの、ケーシング下部（１．２）の上面に取り付けられた回路基板に接続されている、請求項１から５までのいずれか１項記載のキャビネット監視装置。
【請求項７】
ケーシング下部（１．２）が、フラットな取付板として形成されており、ケーシング上部（１．１）が、正面側、背面側および側方領域で直角に下向きに延びる折曲部を備えており、これらの折曲部の下位縁部が、ケーシング下部（１．２）とシール作用をもって結合されている、請求項１から６までのいずれか１項記載のキャビネット監視装置。
【請求項８】
正面側の折曲部に表示ユニット（１０）が組み込まれている、請求項７記載のキャビネット監視装置。
【請求項９】
正面側の折曲部にトランスポンダ（１１）が配置されている、請求項７または８記載のキャビネット監視装置。
【請求項１０】
請求項１から９までのいずれか１項記載のキャビネット監視装置を備えたキャビネット。
【発明の詳細な説明】
【技術分野】
【０００１】
本発明は、フレーム架構またはフレーム状の折曲部を備えたキャビネットに組み込んで、温度監視および温度調整を含む、キャビネット、ネットワークキャビネットおよびサーバーキャビネット自体に関する機能を監視しかつ制御するためのキャビネット監視装置であって、キャビネット監視装置が、ケーシング上部とケーシング下部とを備えたケーシングに配置された監視ユニットと、該監視ユニットに接続されたセンサとを備えている形式のものに関する。
【０００２】
このような形式のキャビネット監視装置は国際公開第９７／３４３４５号パンフレットに記載されている。このような公知のキャビネット監視装置では、内在するプロセッサまたはマイクロコントローラを備えた中央制御ユニットに、入力インターフェイスおよび出力インターフェイスを介して、キャビネットの運転および使用にとって重要な様々なセンサ、たとえば温度センサ、振動センサ、煙センサ、湿度センサ、電圧検出器、ドアリミットスイッチおよびそれに類するもの、ならびに外部の操作器具に通じるデータ伝送接続線およびアクチュエータが接続されているかまたは接続可能である。温度調整のために様々な構成要素、たとえば冷却装置、ファンまたはヒータは、対応する制御構成要素または調整構成要素を備えることができる。監視装置は、たとえば２高さ単位の高さを有する、キャビネット上部に組み込み可能なフラットなケーシングを備えていて、かつ背面側および／または正面側に、センサ、アクチュエータおよび外部の操作機器に通じるデータ伝送接続線のための端子ジャックを備えている。特にこのようなキャビネット監視装置をエンクロージャに後装備するにはコストがかさむ。
【０００３】
したがって本発明の課題は、冒頭で述べたような形式のキャビネット監視装置を改良して、後から簡単にキャビネットに組み込むことのできるようなものを提供することである。
【０００４】
この課題は、本発明の請求項１の特徴部に記載の構成によって解決される。この構成手段によれば、ケーシングが、フレーム架構またはフレーム状の折曲部に結合するための、取付手段収容部を縁部領域に備えた天井ユニットとして形成されており、少なくともセンサの一部が、ケーシング下部の、キャビネット内側に向いた下面に配置されている。
【０００５】
このような構成によって、キャビネット、たとえばエンクロージャ、ネットワークキャビネットまたはサーバーキャビネットもまた後から簡単な形式でキャビネット監視装置を備え付けることができ、場合によっては既にユーザー側の組込部材を備えたキャビネット内室が完全に利用可能に維持され、かつケーブル敷設が減少される。というのもつまりキャビネットの機能にとって重要なセンサは、有利な配置形式で、既に天井ユニットに配置されているからである。
【０００６】
有利な実施形態によれば、ケーシング下部の少なくとも１つの開口に、少なくとも１つのファンが組み込まれており、ファンの傍に煙センサが組み込まれている。冷却のためにどのみち存在する、有利な形式で配置されたファンによって、場合によってはキャビネット内側に発生する煙が煙センサの領域に案内されるので、煙センサは確実に応答する。
【０００７】
別の有利な実施形態によれば、天井ユニットの下面の少なくとも正面側の縁部領域にアクセスセンサが配置されており、このアクセスセンサが、組込状態で、正面ドアまたは背面ドアまたは背壁または側壁の、補足的なエレメントを備えるかまたはエレメント自体を成す、アクセスセンサに向いた上位の縁部区分と作用接続するようになっている。正面側の縁部領域以外に側方および／または背面側の縁部領域にも配置することのできる単数または複数のアクセスセンサのために、ケーシングの外側に追加的なケーブルを接続して敷設する必要のない一義的で安定した配置構成が生じる。たとえばリードリレーベースに磁気センサとして形成する場合、対抗エレメント、もしくは隣接するドアまたは壁の、対応して形成された縁部区分に対する正確な位置関係が保証されている。
【０００８】
天井ユニットの下面の、背面側および／または側方の縁部領域および／または正面と側面との角隅領域および／または背面と側面との角隅領域における、組込状態でキャビネット内側からアクセス可能な領域に、正面ドアおよび／または背面ドアのロック制御ユニットのための端子ジャック、および／または追加ユニットのための端子ジャック、および／または電圧供給のための端子ジャックが組み込まれているような構成では、たとえばカードリーダまたは別の識別ユニットを備えた少なくとも１つのロック制御ユニットおよび場合によってはアクチュエータユニット、追加的なセンサたとえば特に監視しようとする熱たまりに対する温度センサまたは追加的な湿度センサなどは簡単に接続することもできる。
【０００９】
本発明の実施形態では、追加ユニットおよび電圧供給のための端子ジャックが、背面側の縁部領域に配置されており、背面ドアのロック制御ユニットのための端子ジャックが、閉鎖側の背面と側面との間の角隅領域に配置されており、かつ／または正面ドアのロック制御ユニットのための端子ジャックが、閉鎖側の正面と側面との間の角隅領域に配置されており、このような実施形態によって、接続された追加エレメントもしくはロック制御ユニットのためのケーブルを支承なく案内して接続することができる。
【００１０】
設定されたユニットとしての構造によれば、天井ユニットの下面に配置されたセンサが、天井ユニットの内側で、監視ユニットの、ケーシング下部の上面に取り付けられた回路基板に接続されている。
【００１１】
ケーシング構造の有利な実施形態によれば、ケーシング下部が、フラットな取付板として形成されており、ケーシング上部が、正面側、背面側および側方領域で直角に下向きに延びる折曲部を備えており、これらの折曲部の下位縁部が、ケーシング下部とシール作用をもって結合されている。
【００１２】
使用者にとって有利な制御機能によれば、正面側の折曲部に表示ユニットが組み込まれている。
【００１３】
追加アクセス権利を自動的に検査するために、有利な実施形態によれば、正面側の折曲部にトランスポンダが配置されている。
【００１４】
アクセスは、たとえばマスタキーまたＳＮＭＰ（ネットワーク）または別の読取装置を介して行われる。
【００１５】
キャビネットの有利な実施形態によれば、キャビネットが、記載の形式のキャビネット監視装置を備えて形成されている。既に従来の天井を備えたキャビネットでは、単にこの天井を取り外して、キャビネット監視装置の天井ユニットを代用すればよく、この場合取付箇所はそのまま維持される。
【００１６】
次に本発明の実施の形態を図示の実施例を用いて詳しく説明する。
【００１７】
図１に示したキャビネット監視装置は、中心部分として、ケーシング上部１．１と、該ケーシング上部をその下面で覆うケーシング下部１．２とを備えた天井ユニット１を備えており、この天井ユニット１には、回路基板に設けられた電子回路を備えた監視ユニットが配置されている。
【００１８】
扁平な取付板として形成されたケーシング下部１．２の下面には、組付状態でキャビネット２０（図２参照）の内室に向いた様々なセンサが取り付けられており、これらのセンサはケーシング下部１．２の上面で電子回路と接続されており、これらの電子回路は、設定されるかまたは設定可能なパラメータ特にプログラミングされたパラメータに応じてキャビネット機能を監視しかつ制御するための制御ユニットを形成する。監視可能かつ制御可能なキャビネット機能の詳細については、前掲国際公開第９７／３４３４５号パンフレットを参照されたい。これに応じた機能は、部分的または完全に本発明のキャビネット監視装置でも満たすこともできる。
【００１９】
正面側、側方および背面側の縁部領域において、ケーシング下部に背面ドアまたは背壁のためのアクセスセンサ３．１、両方の側壁のためのアクセスセンサ３．２，３．４、ならびに正面ドアのためのアクセスセンサ３．３が配置されており、これらのセンサは、たとえば磁気センサとして、たとえばリードリレーベースに備え付けられていて、かつ背面ドア、側壁および正面ドア２１の上位領域における適当な位置に配置された補足的なエレメントもしくは区分と協働しており、これによって側壁の取り外しまたはドアの開放を確認することができる。天井ユニット１の下面の背面側の縁部領域には、追加温度センサのための端子ジャック２．１と、追加湿度センサのための端子ジャック２．２と、追加機器もしくはネットワークへのデータ伝送接続線または別のセンサのための端子ジャック２．３と、追加的な給電端子または供給電圧監視装置のための端子ジャック２．４とが組み付けられている、つまり追加ユニット２のための端子ジャックが組み付けられている。ネットワーク接続を介して外部のデータ通信および遠隔操作も実現可能である。キャビネット内部の構成要素を接続するためのバス端子も実現可能である。
【００２０】
さらにケーシング下部１．２の下面に、ファン７．１と、このファン７．１から距離を有して位置する別のファン７．２と、これらのファンの間に煙センサ６とが組み付けられている。ファン７．１，７．２は、場合によってはキャビネット２０内に生じる煙を煙センサ６の領域に案内するので、煙の発生は煙センサ６によって確実に確認することができる。同様にケーシング下部１．２の下面に取り付けられた温度センサ４によって、キャビネット内部温度、特に一般温度を確実に検出することができ、これが限界温度を上回る場合に、調整されたファン７．１，７．２および／または別のもしくは追加的な冷却ユニットを操作することによって、温度を低下させることができる。
【００２１】
側面／背面の角隅領域と側面／正面の角隅領域とに、正面ドア２．１もしくは背面ドアのためのロック制御ユニット５．１，５．２を接続するための別の端子ジャックが配置されており、角隅領域はドアの閉鎖側の上方に位置するので、ロック制御ユニット５．１，５．２からこれに所属の端子ジャックにかけて不都合でないできるだけ短いケーブルガイドが達成される。ロック制御ユニット５．１，５．２は、たとえばカードリーダまたは別の識別ユニットを備え、しかも制御ユニットによって応答可能なアクチュエータユニットを備えることもできる。さらに正面と側面との間の角隅領域にリーダ端子のための端子ジャック９が配置されており、この端子ジャック９は、キャビネット上部に設けられた組込部材でも、正面から簡単にアクセス可能であり、これによってたとえば制御ユニットに記憶されたデータを読み取ることができる。
【００２２】
ケーシング下部１．２の下面には、さらにたとえば１００〜２３０ボルトの広い供給電圧範囲を有する電源供給のための端子１２が配置されており、これに対して天井ユニット１には、ケーシング下部１．２の上面において電子回路および必要な場合センサの電圧供給のための電源８が設けられている。
【００２３】
ケーシング上部１．１は、正面側、背面側および両方の側方領域とに、下向きに直角に向けられた折曲部を備えている。正面側の折曲部には、たとえば蛍光性の表示部を備えた表示ユニット１０が組み付けられており、この表示ユニット１０を介して、使用者に、キャビネットを開放する必要なしにキャビネットの外側で主な情報を表示することができる。さらに正面側の折曲部にトランスポンダ１１が配置されており、このトランスポンダ１１によって、使用者のアクセス権利について自動的に問い合わせ可能である。
【００２４】
天井ユニット１は下面で、キャビネット２０のフレームもしくはフレーム状の折曲部の上面に取り付けるための取付箇所を備えており、有利にはこれらの取付箇所は、簡単な天井カバーの取り付け箇所に相当するので、この天井ユニットは簡単な天井カバーの代わりに使用するか、またはこの天井カバーと交換することができる。この場合ケーシング下部１．２は、フレームもしくはフレーム状の折曲部にシール作用をもって取り付けることができ、これに対してケーシング上部１．１自体はケーシング下部１．２にシール作用をもって取り付け可能である。
【００２５】
天井ユニット１において、特にケーシング下部１．２に、さらに別の適当なセンサ、たとえば別の温度センサ、湿度センサまたは振動センサを配置することができる。追加ユニット２を接続するためもしくはネットワーク接続のためのケーブルにとって有利には、キャビネット内に適当なケーブルガイドおよびケーブル捕捉手段が設けられている。天井ユニット１に接続しようとする追加ユニット２もしくは別の追加エレメントのための全てのコネクタは、キャビネット内室から簡単にアクセス可能である。
【００２６】
記載の実施例によって、ケーブルの短縮化および簡単な接続手段、ならびに簡単な取り付けおよび簡単な後装備が維持され、キャビネット内室の全てが利用可能であるようなキャビネット監視装置が提供される。
【図面の簡単な説明】
【００２７】
【図１】キャビネット監視装置を概略的に示す斜視図である。
【００２８】
【図２】キャビネット監視装置を備えたキャビネットを示す図である。
【符号の説明】
【００２９】
１  天井ユニット、  １．１  ケーシング上部、  １．２  ケーシング下部、  ２  追加ユニット、  ２．１，２．２，２．３，２．４  端子ジャック、  ３．１，３．２，３．３，３．４  アクセスセンサ、  ５．１，５．２  ロック制御ユニット、  ６  煙センサ、  ７．１，７．２  ファン、  ８  電源、  ９  端子ジャック、  １０  表示ユニット、  １１  トランスポンダ、  ２０  キャビネット、  ２１  正面ドア
【国際公開パンフレット】
2004527834.tif 000003
2004527834.tif 000004
2004527834.tif 000005
2004527834.tif 000006
2004527834.tif 000007
2004527834.tif 000008
2004527834.tif 000009
2004527834.tif 000010
2004527834.tif 000011
2004527834.tif 000012
2004527834.tif 000013
2004527834.tif 000014
2004527834.tif 000015
2004527834.tif 000016
2004527834.tif 000017
2004527834.tif 000018
【国際公開パンフレット（コレクトバージョン）】
2004527834.tif 000019
2004527834.tif 000020
【国際調査報告】
2004527834.tif 000021
2004527834.tif 000022
2004527834.tif 000023
2004527834.tif 000024